(57)【特許請求の範囲】
【請求項１】
記録再生部と、被写体側に設けられたカメラ部と、前記カメラ部の方向に対して対向方向を向くように設けられたファインダ部とを備えた第１の筐体と、
前記第１の筐体の側面にヒンジにより回動自在に設けられモニター画面を有する第２の筐体とからなる磁気記録再生装置であって、
前記第１の筐体の下部に本装置を支持するように回動自在に保持部材を備え、
前記保持部材は、前記第１の筐体を本装置の接地面に対して水平に支持する際に接地する第１の平面部と、
前記カメラ部が略上方向に所定角度を持つように前記第１の筐体を支持する際に接地する第２の平面部と、
前記第１の筐体における前記第２の筐体が設けられた側面が略上方向を向くように前記第１の筐体を支持する際に接地する第３の平面部とを有することを特徴とする磁気記録再生装置。
【請求項２】
保持部材は、第１の筐体に設けられたカメラ部の光軸に対し垂直方向に回動可能なことを特徴とする請求項１記載の磁気記録再生装置。
【発明の詳細な説明】
【０００１】
【発明の属する技術分野】
本発明は、カメラ一体型磁気記録再生装置等に使用される保持機構に関するものである。
【０００２】
【従来の技術】
近年、カメラ一体型磁気記録再生装置には、カメラ部及びファインダと磁気記録再生部を第１の筐体に収納し、モニター画面部を第２の筐体に有するものがある。
【０００３】
以下、図面を参照しながら従来の構成について説明する。
図５は従来の保持機構を備えたカメラ一体型磁気記録再生装置を示すもので、ＶＴＲ部１とテレビカメラ部２を配置した第１の筐体と、ヒンジ４により２軸の回動が自在となるモニター画面３を備えた第２の筐体からなり、第１の筐体はヒンジ４下部付近に任意の２ポジションに回動自在な保持部材５を有している。
【０００４】
以上のように構成された従来の保持機構について、以下その動作について説明する。
【０００５】
図７（Ａ）のように水平な場所でモニター画面３をヒンジ４を備えた第２の筐体をＶＴＲ部１とテレビカメラ部２を備えた第１の筐体に対して垂直に開き、さらに、ヒンジ４によりモニター画面３を任意の角度に回転させた状態で撮影・再生する場合に、保持部材５を図６（Ａ）のような状態で使用し、保持部材５の５ｄの面で支えることにより、モニター画面３の自重によって磁気記録再生装置が図７（Ｂ）のＸ方向に傾くことを防止している。
【０００６】
また、図８（Ａ）のように水平な場所で、モニター画面３を外側に向けて第１の筐体に収納した状態で再生する場合に、保持部材５を図６（Ｂ）のような状態で使用し、保持部材５の５ｅの面で支えることにより、図８（Ｂ）のように磁気記録再生装置が傾きモニター画面３を見やすくすることができる。
【０００７】
さらに、図８（Ｂ）の状態で保持部材５を使用する時、第１の筐体の上部方向から強い荷重Ｐがかかる場合を想定し、図６（Ｂ）の保持部材５の回動中心５ａに弾性を持たせることにより、保持部材５の破壊を防止している。
【０００８】
【発明が解決しようとする課題】
しかしながら、上記の従来の構成では、水平な場所で第２の筐体を第１の筐体に対して垂直に開き、さらに、ヒンジ４によりモニター画面３を１８０°回転させた状態、つまり対面での撮影時において、撮影者自身を撮影する場合には、撮影者がテレビカメラ部２の画角に入るように移動しなければならず、もしくは、本等を第１の筐体の下部にはさんで、テレビカメラ部２の角度や高さを調整して撮影者が画角に入るようにしなければならず、カメラのセッティングが非常に煩雑であるという問題点を有していた。
【０００９】
また、図８（Ｂ）の状態で保持部材５を使用する場合、第１の筐体の上部方向から強い荷重Ｐがかかると、図６（Ｂ）の保持部材５の回動中心５ａの弾性により磁気記録再生装置は安定せず、荷重Ｐの量がさらに大きくなると、保持部材５は図８（Ｂ）のＹ方向への回転モーメントにより破壊しやすくなるという問題点を有していた。
【００１０】
本発明は、上記従来の問題点を解決するもので、従来同様モニター画面３での撮影・再生時に磁気記録再生装置の傾きを防止したり、モニター画面３を反転して第１の筐体に収納した状態での再生時にモニター画面３が見やすくなるのに加え、対面撮影時にテレビカメラ部２を上向きに傾けることによりカメラ画角が確保しやすくなり、また、第１の筐体の上部方向からの強い荷重Ｐにより保持部材５が任意のポジションから所定のポジションに復帰することができる磁気記録再生装置保持機構を提供することを目的とする。
【００１１】
【課題を解決するための手段】
上記課題を解決するために本発明の磁気記録再生装置は、記録再生部と、被写体側に設けられたカメラ部と、前記カメラ部の方向に対して対向方向を向くように設けられたファインダ部とを備えた第１の筐体と、
前記第１の筐体の側面にヒンジにより回動自在に設けられモニター画面を有する第２の筐体とからなる磁気記録再生装置であって、
前記第１の筐体の下部に本装置を支持するように回動自在に保持部材を備え、
前記保持部材は、前記第１の筐体を本装置の接地面に対して水平に支持する際に接地する第１の平面部と、
前記カメラ部が略上方向に所定角度を持つように前記第１の筐体を支持する際に接地する第２の平面部と、
前記第１の筐体における前記第２の筐体が設けられた側面が略上方向を向くように前記第１の筐体を支持する際に接地する第３の平面部とを有するものである。
【００１２】
この構成によって、従来通りモニター画面での撮影及び再生時に装置の傾きを防止したり、モニター画面を反転して収納した状態での再生時にモニター画面を見やすくすると共に、対面撮影時のカメラ画角が確保しやすくなり、また、第１の筐体の上部方向からの強い荷重により保持部材が任意のポジションから所定のポジションに復帰することができる。
【００１３】
【発明の実施の形態】
本発明の請求項１及び２に記載の発明は、記録再生部と、被写体側に設けられたカメラ部と、前記カメラ部の方向に対して対向方向を向くように設けられたファインダ部とを備えた第１の筐体と、
前記第１の筐体の側面にヒンジにより回動自在に設けられモニター画面を有する第２の筐体とからなる磁気記録再生装置であって、
前記第１の筐体の下部に本装置を支持するように回動自在に保持部材を備え、
前記保持部材は、前記第１の筐体を本装置の接地面に対して水平に支持する際に接地する第１の平面部と、
前記カメラ部が略上方向に所定角度を持つように前記第１の筐体を支持する際に接地する第２の平面部と、
前記第１の筐体における前記第２の筐体が設けられた側面が略上方向を向くように前記第１の筐体を支持する際に接地する第３の平面部とを有するものであり、この構成によって、従来通りモニター画面での撮影及び再生時に装置の傾きを防止したり、モニター画面を反転して収納した状態での再生時にモニター画面を見やすくすると共に、対面撮影時のカメラ画角が確保しやすくなり、また、第１の筐体の上部方向からの強い荷重により保持部材が任意のポジションから所定のポジションに復帰することができる。
【００１４】
（実施の形態１）
図１（Ａ）（Ｂ）（Ｃ）は、本発明の磁気記録再生装置における保持機構の構成を示すもので、それぞれポジションＡ１、ポジションＢ１、ポジションＣ１とする。
【００１５】
図２（Ａ）（Ｂ）のように水平な場所でモニター画面３とヒンジ４を備えた第２の筐体をＶＴＲ部とテレビカメラ部を備えた第１の筐体に対して垂直に開き、さらにヒンジ４によりモニター画面３を任意の角度に回転させた状態で撮影・再生する場合に、保持部材５を図１（Ａ）のような状態で使用し、保持部材５の５ｂの面で支えることにより、モニター画面３の自重によって磁気記録再生装置が図２（Ｂ）の矢印Ｘ方向に傾くことを防止している。
【００１６】
図３（Ａ）（Ｂ）のように水平な場所で前記第２の筐体を前記第１の筐体に対して垂直に開き、さらに、ヒンジ４によりモニター画面３を１８０°回転させた状態、つまり対面での撮影時において、保持部材５を図１（Ｂ）のポジションＢ１の状態で使用し、保持部材５の５ｃの面で支えることにより、テレビカメラ部２が上方向に角度を持ち、撮影時におけるカメラ画角の確保が容易となる。
【００１７】
図４（Ａ）（Ｂ）のように水平な場所で、モニター画面３を外側に向けて前記第１の筐体に収納した状態で再生する場合に、保持部材５を図１（Ｃ）のポジションＣ１の状態で使用し、５ｃの面で支えることにより、磁気記録再生装置が傾き、モニター画面を見やすくすることができる。
【００１８】
また、図３（Ａ）（Ｂ）や図４（Ａ）（Ｂ）の状態で、第１の筐体の上部方向から強い荷重Ｐがかかると、保持部材５はＺ方向への回転モーメントによりポジションＢ１、ポジションＣ１からポジションＡ１へ復帰することが可能である。
【００１９】
以上のように本実施の形態によれば、ＶＴＲ部とテレビカメラ部を配置した第１の筐体と、この第１の筐体の側面にヒンジにより２軸の回動が自在となるモニター画面からなる磁気記録再生装置の第１の筐体のヒンジ下部付近に任意の３ポジションに回動自在な保持部材を有し、その保持部材が任意の３つのポジションに回動自在に変化し、第１の筐体の姿勢を変えることにより第２の筐体のモニター画面を見やすくすることが可能であり、また、第１の筐体の上部方向から強い荷重がかかると保持部材は任意のポジションより所定のポジションに復帰することが可能である。
【００２０】
【発明の効果】
以上のように本発明は、従来同様モニター画面での撮影・再生時に磁気記録再生装置の傾きを防止したり、モニター画面を反転してＶＴＲ部とテレビカメラ部を備えた第１の筐体に収納した状態での再生時にモニター画面が見やすくなるのに加え、対面撮影時にテレビカメラ部２を上向きに傾けることによりカメラ画角が確保しやすくなり、また、第１の筐体の上部方向からの強い荷重Ｐにより保持部材が任意のポジションから所定のポジションに復帰するという優れた効果が得られる。
【図面の簡単な説明】
【図１】本発明の磁気記録再生装置の実施の形態における保持部材の状態を示す側面図
【図２】（Ａ）同実施の形態における使用状態を示す斜視図
（Ｂ）同実施の形態における使用状態を示す正面図
【図３】（Ａ）同実施の形態における使用状態を示す正面図
（Ｂ）同実施の形態における使用状態を示す側面図
【図４】（Ａ）同実施の形態における使用状態を示す斜視図
（Ｂ）同実施の形態における使用状態を示す正面図
【図５】従来の磁気記録再生装置の斜視図
【図６】同装置における保持部材の構成を示す側面図
【図７】（Ａ）同装置における使用状態を示す斜視図
（Ｂ）同装置における使用状態を示す正面図
【図８】（Ａ）同装置における使用状態を示す斜視図
（Ｂ）同装置における使用状態を示す正面図
【符号の説明】
１  ＶＴＲ部
２  テレビカメラ部
３  モニター画面
４  ヒンジ
５  保持部材
５ａ  回動中心
５ｂ  ポジションＡ１での接地面
５ｃ  ポジションＢ１，Ｃ１での接地面
５ｄ  ポジションＡ２での接地面
５ｅ  ポジションＢ２での接地面
【図１】
0003598652.tif 000002
【図２】
0003598652.tif 000003
【図３】
0003598652.tif 000004
【図４】
0003598652.tif 000005
【図５】
0003598652.tif 000006
【図６】
0003598652.tif 000007
【図７】
0003598652.tif 000008
【図８】
0003598652.tif 000009